(57)【要約】【課題】  観客席や観覧席を必要とする者に対し、その必要期間に施工期間がほとんど不要でかつ撤去も容易な観客席や観覧席を貸し出す観覧席貸出システムおよびその運用方法を提供する。【解決手段】  インターネットＵＩを利用してユニット観覧席ＵＫを貸し出しする観覧席貸出システムＵであって、ウェブサーバ１と、貸出申込処理部２と、ウェブページコンテンツフォルダ４と、貸出申込処理データベース５と、貸出申込者情報データベース６と、貸出情報データベース７とを備え、貸出申込処理部２は貸出申込処理プログラムを有し、貸出申込処理データベース５や貸出申込者情報データベース６のデータを用いて貸出申込に関する所定の処理と、貸出情報データベース７の更新とをなすものである。【選択図】  図１
2007004652.tif 000002
【特許請求の範囲】
【請求項１】
インターネットを利用してユニット観覧席を貸し出しする観覧席貸出システムであって、
前記観覧席貸出システムは、ウェブサーバと、貸出申込処理部と、ウェブページコンテンツフォルダと、貸出申込処理データベースと、貸出申込者情報データベースと、貸出情報データベースとを備え、
前記貸出申込処理部は貸出申込処理プログラムを有し、前記貸出申込処理データベースおよび／または貸出申込者情報データベースのデータを用いて貸出申込に関する所定の処理と、貸出情報データベースの更新とをなすものとされてなることを特徴とする観覧席貸出システム。
【請求項２】
貸出申込処理部は、顧客コードおよび当該顧客コードに関連づけられた顧客ファイルの生成と、見積金額の算出とをなすものとされてなることを特徴とする請求項１記載の観覧席貸出システム。
【請求項３】
貸出申込処理データベースに、見積金額の算出に必要なユニット観覧席ＵＫの各機種の単価、輸送コスト、設置コストおよび撤去コストに関するデータ、ならびに契約書が格納されてなることを特徴とする請求項１記載の観覧席貸出システム。
【請求項４】
請求項１，２または３に記載された観覧席貸出システムの運用方法であって、
申込者側コンピュータのアクセスにより、観覧席貸出システムのウェブページコンテンツフォルダに格納されているウェブページおよび貸出申込処理プログラムが申込者側コンピュータにダウンロードされ、
前記貸出申込処理プログラムにより、前記申込者側コンピュータと前記観覧席貸出システムとの間において対話的処理により貸出申込処理がなされることを特徴とする観覧席貸出システムの運用方法。
【請求項５】
貸出申込フォーマットを申込者側コンピュータのモニタ画面に表示させ、その表示された貸出申込フォーマットを利用して貸出申込処理がなされることを特徴とする請求項４記載の観覧席貸出システムの運用方法。
【発明の詳細な説明】
【技術分野】
【０００１】
本発明は、観覧席貸出システムおよびその運用方法に関する。さらに詳しくは、観客席や観覧席を必要とする者に対し、その必要期間に施工期間がほとんど不要でしかも撤去も容易なユニット観覧席を貸し出す観覧席貸出システムおよびその運用方法に関する。
【背景技術】
【０００２】
例えば、野球、サッカー、バレーボールといった人気スポーツでは、会社や町内会のイベントとして試合を行う場合にも比較的多数の観客が見込まれることがあり、そのような場合には、観客席や観覧席を備えた施設を会場として選定する必要が生じる。
【０００３】
ところが、そのような施設には数に限りがあり、予想される来場者数に対して適切な規模の施設を見つけるのに困難を伴うことも多い。
【０００４】
また、近年、少人数で試合が行える手軽なスポーツとしてビーチバレーボールが人気を集めている。ビーチバレーボールは、２〜３人のチーム編成により砂浜で試合を行うものであるが、各地の海水浴場においても、ビーチバレーボールのトーナメント戦がイベントとして開催されるといったことも多くなってきている。そのようなイベントでは、主催者は、多くの観客が会場に来ることを期待するが、会場が砂浜であるために、観客席や観覧席を設けることは一般に困難である。
【０００５】
また、そのようなイベントのために必要とされる観客席や観覧席は臨時のものであって、恒久的な施設は無用であることが多い。
【０００６】
さらに、通常の観客席や観覧席では、建設、設置にある程度の期間を要するために、前述したようなイベントの開催が急遽決まったような場合には、設置が間に合わない、といった問題もある。
【０００７】
その上、現状においては、臨時に設置できしかも施工期間がほとんど不要でかつ撤去も容易な観客席や観覧席を貸し出す者はなく、そのためその申し込みも当然になし得ない。
【発明の開示】
【発明が解決しようとする課題】
【０００８】
本発明はかかる従来技術の課題に鑑みなされたものであって、観客席や観覧席を必要とする者に対し、その必要期間に施工期間がほとんど不要でかつ撤去も容易な観客席や観覧席を貸し出す観覧席貸出システムおよびその運用方法を提供することを目的としている。
【課題を解決するための手段】
【０００９】
本発明の観覧席貸出システムは、インターネットを利用してユニット観覧席を貸し出しする観覧席貸出システムであって、前記観覧席貸出システムは、ウェブサーバと、貸出申込処理部と、ウェブページコンテンツフォルダと、貸出申込処理データベースと、貸出申込者情報データベースと、貸出情報データベースとを備え、前記貸出申込処理部は貸出申込処理プログラムを有し、前記貸出申込処理データベースおよび／または貸出申込者情報データベースのデータを用いて貸出申込に関する所定の処理と、貸出情報データベースの更新とをなすものとされてなることを特徴とする。
【００１０】
本発明の観覧席貸出システムにおいては、貸出申込処理部は、顧客コードおよび当該顧客コードに関連づけられた顧客ファイルの生成と、見積金額の算出とをなすものとされてなるのが好ましい。
【００１１】
また、本発明の観覧席貸出システムにおいては、貸出申込処理データベースに見積金額の算出に必要なユニット観覧席ＵＫの各機種の単価、輸送コスト、設置コストおよび撤去コストに関するデータ、ならびに契約書が格納されてなるのが好ましい。
【００１２】
しかして、本発明の観覧席貸出システムによる貸出においては、申込者側コンピュータのアクセスにより、観覧席貸出システムのウェブページコンテンツフォルダに格納されているウェブページおよび貸出申込処理プログラムが申込者側コンピュータにダウンロードされ、前記貸出申込処理プログラムにより、前記申込者側コンピュータと前記観覧席貸出システムとの間において対話的処理により貸出申込処理がなされる。
【００１３】
その場合、例えば、貸出申込フォーマットを申込者側コンピュータのモニタ画面に表示させ、その表示された貸出申込フォーマットを利用して貸出申込処理がなされる。
【発明の効果】
【００１４】
本発明によれば、ユニット観覧席の貸し出しがなされていることをインターネットを介して公衆に知らすことができるので、イベントの開催が急遽決まったような場合にも、主催者は、インターネットを介して観客席や観覧席の貸し出しの申し込みが手軽になし得るとともに、イベント会場などに観客席や観覧席を臨時に設置できるという優れた効果が得られる。
【発明を実施するための最良の形態】
【００１５】
以下、添付図面を参照しながら本発明を実施形態に基づいて説明するが、本発明はかかる実施形態のみに限定されるものではない。
【００１６】
本発明の一実施形態に係る観覧席貸出システムを図１にブロック図で示す。
【００１７】
観覧席貸出システム（以下、単にシステムという）Ｕは、図１に示すように、ウェブサーバ１と、貸出申込処理部２と、入出力の処理をなす入出力処理部３と、ウェブページコンテンツフォルダ４と、貸出申込処理データベース５と、貸出申込者情報データベース６と、貸出情報データベース７と、入力装置ＵＫと、出力装置ＵＴとを主要構成要素として備えてなるものとされる。なお、システムＵは、具体的には、コンピュータにより実現される。
【００１８】
ここで、システムＵの説明に入る前に、システムＵにより貸し出されるユニット観覧席について簡単に説明しておく。
【００１９】
図２に、ユニット観覧席ＵＫの一例を斜視図で示す。図３および図４に、その平面図、および正面図をそれぞれ示す。また、図５に、土台フレームの平面図を示す。
【００２０】
ユニット観覧席ＵＫは、図２ないし図４に示すように、多段座席式観覧席（図示例では４段）とされており、土台フレーム１１と、土台フレーム１１の上に所定間隔で立設された所要数の階段状に形成された座席支持フレーム２２，２２，２２，・・・からなる観覧者支持部１２と、観覧者支持部１２により支持され、下段の座席の背後に設けられた上段の座席のためのフットレスト用面材１３と、座席支持フレーム２２，２２，２２，２２，・・・の水平部前側に例えば平行に配設された座席受部材２３，２３を介して取り付けられる例えば長板状とされた座席１４とを備えており、これら土台フレーム１１、観覧者支持部１２、フットレスト用面材１３，１３，１３，・・・および座席１４から本体１５が構成されている。
【００２１】
土台フレーム１１は、本体１５および後述する階段１６の平面投射形状を枠取りするように、角形鋼管２１が組まれてなる枠部１１ａと、座席支持フレーム２２の配設位置と対応させて枠部１１ａの内面に両端が接合された状態で互いに平行に配設された、例えば角形鋼管からなる座席支持フレーム設置部１１ｂとを有する。
【００２２】
そして、図２に示すように、本体１５の長手方向の両側方には、各段の座席１４，１４間を移動するための階段１６が本体１５と一体的に設けられている。
【００２３】
階段１６は、本体１５と共通の土台フレーム１１の上に立設された階段状に形成された階段支持フレーム３２および隣接する座席支持フレーム３２からなる階段踏板支持部３１と、階段踏板支持部３１により支持された踏板用面材３３および蹴止め面材３４とから構成され、その蹴上げは、座席１４，１４の段差に一致させられている。
【００２４】
また、観覧者支持部１２および階段踏板支持部３１の適宜位置には、補強用として丸パイプ部材からなる筋かい１８および横桟１９が取り付けられている。これによって、使用時の強度向上を図ることができるとともに、後述するような手順によりユニット観覧席ＵＫの設置および撤去を行う際の変形を防止することができる。
【００２５】
次に、かかる構成とされたユニット観覧席ＵＫの設置方法および撤去方法について説明する。
【００２６】
ユニット観覧席ＵＫの設置は、１）収納場所から設置対象施設までユニット観覧席ＵＫをトラック等により運搬し、２）例えば観覧者支持部１２にワイヤーロープ４１を掛け渡し、図示しないクレーン等によりトラック荷台等から吊り上げ、３）同クレーン等によりユニット観覧席ＵＫを設置位置上方まで移動し、４）同クレーン等によりユニット観覧席ＵＫの姿勢および位置を調整しながら吊り降す。しかして、これら一連の手順により、ユニット観覧席ＵＫの設置が完了する。
【００２７】
なお、一個のユニット観覧席ＵＫでは所要数の座席が確保されない場合には、前記１〜４の手順を所定回繰り返して所要数のユニット観覧席ＵＫを設置して所要数の座席を確保する。
【００２８】
一方、ユニット観覧席ＵＫの撤去は、１）例えば観覧者支持部１２にワイヤーロープ４１を掛け渡し、図示しないクレーン等によりユニット観覧席ＵＫを吊り上げ、２）同クレーン等によりユニット観覧席ＵＫをトラック荷台等の上方まで移動し、３）同クレーン等によりユニット観覧席ＵＫの姿勢および位置を調整しながらトラック荷台等に吊り降ろす。しかして、これら一連の手順により、ユニット観覧席ＵＫの撤去が完了する。
【００２９】
また、図６に示すように、ユニット観覧席ＵＫは、屋根５０を付加してなるものとされてもよい。屋根５０は、土台フレーム１１の長手方向両端の後方側に立設される丸パイプ部材からなる支柱５１，５１と、各支柱５１の上端部からユニット観覧席の前方斜め上方に延びるようにして設けられる側方梁５２と、各側方梁５２の先端に両端を接合させるようにして設けられた前方梁５３と、ユニット観覧席ＵＫの本体２５の上方を覆うように側方梁５２に取り付けられる開閉自在とされた天幕５５と、天幕５５の支承強さを補強するよう支柱５１と側方梁５２との間に設けられるブレース５６とを有している。天幕５５は、側方梁５２の間に張り渡されるワイヤー６１、６１、・・・により吊設されている。
【００３０】
以下、システムＵについて詳細に説明する。
【００３１】
ウェブサーバ１は、インターネットＵＩを介してウェブページコンテンツフォルダ４に格納されているウェブページを、観客席や観覧席の貸出を申し込む申込者（以下、単に申込者という）Ｍからの要求により、つまり申込者側コンピュータＭＣからのアクセスにより当該申込者側コンピュータＭＣ上に公開する処理をなすとともに、申込者側コンピュータＭＣからの送信されてきた情報も処理するものとされる。この申込者側コンピュータＭＣからの情報の中で貸出申込に関する情報は、ウェブサーバ１から貸出申込処理部２に送出されるとともに、当該情報に関する貸出申込処理部２における処理結果もウェブサーバ１から申込者側コンピュータＭＣに送信される。
【００３２】
この場合、申込者側コンピュータＭＣとウェブサーバ１との通信には、ＳＳＬ（Secure Socket Layer: インターネット上で情報を暗号化して送受信するプロトコルの一種）が適用され、これにより情報の漏洩が阻止される。
【００３３】
貸出申込処理部２は申込者側コンピュータＭＣとの対話的処理をなす、例えばＡｃｔｉｖｅＸコントロールからなるプログラム（以下、貸出申込処理プログラム）を有し、この貸出申込処理プログラムがウェブサーバ１を介して申込者側コンピュータＭＣにそのブラウザによりタウンロードされて、貸出申込処理部２と申込者側コンピュータＭＣとの間で対話的処理により貸出申込処理がなされる。例えば、貸出申込に関する情報に基づいて、顧客コードおよび当該顧客コードに関連づけられた顧客ファイルの生成をなし、貸出申込処理データベース５のデータを利用して見積金額の算出などの所定の貸出申込処理をなすものとされる。なお、貸出申込処理の具体的な内容については後述する。
【００３４】
入出力処理部３は入力装置ＵＫおよび出力装置ＵＴに関する情報の処理をなすものとされ、従来のコンピュータにおける入出力処理部と同様の構成とされている。
【００３５】
ウェブページコンテンツフォルダ４には、前述したように、ウェブサーバ１を介してインターネットＵＩに公開されるウェブページが格納される。
【００３６】
貸出申込処理データベース５には、貸出申込処理部２の処理に必要な各種データが格納される。例えば、見積金額の算出に必要なユニット観覧席ＵＫの各機種の単価、輸送コスト、設置コスト、撤去コストなどに関するデータが格納される。また、申込者Ｍとユニット観覧席ＵＫの貸出しに関する契約をなすための契約書に関するデータも格納される。この契約書には、契約締結後における送金先である銀行口座も記載されている。
【００３７】
貸出申込者データベース６には、申込者Ｍの住所、氏名（名称）、連絡先（電話番号、メールアドレスなど）、貸出希望機種、設置場所、必要数量、貸出期間などの情報が格納される（図１１参照）。
【００３８】
貸出情報データベース７には、各機種の貸出状況に関するデータが格納される（図１２参照）。
【００３９】
入力装置ＵＫは、例えばキーボードやマウスなどとされる。
【００４０】
出力装置ＵＴは、例えば画像表示装置ＵＭやプリンタＵＰなどとされる。
【００４１】
次に、ウェブページコンテンツフォルダ４および各データベース５，６，７に格納される各データについて説明する。
【００４２】
図７に、ユニット観覧席ＵＫの貸出申込などをなすために、ウェブサーバ１によりインターネットＵＩを介して申込者側コンピュータＭＣ上に公開されるウェブページ７０の一例を示す。
【００４３】
図７に示すウェブページ７０はいわゆるトップページ（ホームページ）であり、ユニット観覧席ＵＫの概要を申込者Ｍが理解し得るように、ユニット観覧席ＵＫの説明を表示するユニット観覧席説明表示欄７１と、ユニット観覧席ＵＫの一覧を表示するよう申込者Ｍが指示するための一覧表示ボタン７２と、後掲の貸出申込フォーマット（図１１参照）を表示するよう申込者Ｍが指示するための貸出申込フォーマット表示ボタン７３とを有している。
【００４４】
ここで、ウェブページ７０は、ＨＴＭＬ（Hypertext Markup Language: ハイパーテキスト・マークアップ言語）により記述されたものであり、ウェブページ７０の各ページのページデータ、コンテンツデータ（各ページに表示されるユニット観覧席ＵＫの写真画像データ等）などは、図８に示すように、ツリー型ディレクトリ構造にてウェブページコンテンツフォルダ４に格納されている。
【００４５】
すなわち、ウェブページコンテンツフォルダ４内のツリー型ディレクトリ構造の第１層ディレクトリ７０ａにウェブページ７０のトップページのページデータ（ＨＴＭＬにより記述されたもの）７０ｂおよびそのページに表示される画像データ７０ｃが格納されている。
【００４６】
第２層７０ｄに一覧８０（図９参照）のページデータ７０ｅおよびそのページに表示される画像データ７０ｆが格納されている。
【００４７】
第３層第１ディレクトリ７０ｇに第１機種（Ａ１）の詳細表示ページ９０（図１０参照）のページデータ７０ｈおよびそのページに表示される画像データ７０ｉが格納され、第３層第２ディレクトリ７０ｊに第２機種（Ａ２）の詳細表示ページ９０のページデータ７０ｋおよびそのページに表示される画像データ７０ｍが格納され、というように格納されている。
【００４８】
図９に、一覧表示ボタン７２のクリックにより表示されるユニット観覧席ＵＫの一覧８０を示す。この一覧８０では、ユニット観覧席ＵＫの機種名、各機種の最大収容人数、各機種の特徴（屋根あり、屋根なし、階段つき等）、貸出状況、単価、および各機種の詳細情報ページ９０（図１０参照）へのハイパーリンク等が表示される。
【００４９】
一覧８０に表示される貸出状況は、貸出情報データベース７に格納された貸出情報１１０の更新と連動して、即時に更新される。すなわち、貸出情報データベース７は、貸出情報１１０（図１２参照）の各機種、各機番のユニット観覧席ＵＫの貸出予定期間に対する照合機能を有し、その機能により定期的に前記貸出予定期間の照合を行い、その照合結果により、一覧８０の貸出状況表示欄を更新するものとされる。このような更新機能は、例えばスクリプトとして貸出情報データベース７に付加することにより実現される。
【００５０】
図１０に、各機種の詳細情報ページの一例を示す。この詳細情報ページ９０は、当該機種の写真を表示する写真表示欄９１と、当該機種の機種名、最大収容人数、特徴（屋根あり、屋根なし、等）といった各種情報を表示する機種情報表示欄９２とを有している。また、当該機種の写真が複数枚ある場合には、写真切替ボタン９３による表示写真の切替が可能なようにされる。
【００５１】
図１１に、貸出申込フォーマットの一例を示す。この貸出申込フォーマット１００は、申込者Ｍの住所、氏名、連絡先等の申込者情報と、希望機種、設置場所、貸出時期、その数量といった申込の内容に関わる申込内容情報とを申込者Ｍが入力するための情報入力欄１０１と、情報入力欄１０１に入力した情報をシステムＵに送信し、貸出を希望するか否かの意思を確認するための貸出確認ボタン１０２と、情報入力欄１０１により所定事項の入力を済ませた申込者Ｍが、申込内容に基づく見積を知ることができるように、申込内容に基づく見積もりをさせるか否かを指示する見積指示ボタン１０３と、見積結果を表示する見積表示欄１０４と、見積表示欄１０４に表示された見積を確認した申込者Ｍが、直ちに契約手続きを進める意思を有するか否かを確認するための契約意思確認ボタン１０５とを有する。
【００５２】
図１２に、貸出情報の一例を示す。この貸出情報１１０は、ユニット観覧席ＵＫの機種名（Ａ１，Ａ２，・・・）、機番（１号機、２号機、・・・）、各機の貸出予定期間、といった情報から構成される。
【００５３】
次に、かかる構成とされているシステムＵによるユニット観覧席ＵＫの貸出申込処理について説明する。
【００５４】
手順１：申込者Ｍが申込者側コンピュータＭＣのウェブブラウザによりシステムＵのウェブサーバ１にアクセスし、ウェブページコンテンツフォルダ４に格納されているウェブページ７０および貸出申込用プログラムを申込者側コンピュータＭＣにダウンロードする。なお、貸出申込用プログラムのダウンロードはウェブページ７０のダウンロードに付随して自動的になされ、ダウンロードと同時に起動される。この起動により、申込者側コンピュータＭＣとシステムＵ（具体的には貸出申込処理部２）との間での対話的処理が可能な状態となる。
【００５５】
手順２：ダウンロードされたウェブページのトップページ（ホームページ）が、申込者側コンピュータＭＣのモニタ画面ＭＭに表示される。
【００５６】
手順３：申込者Ｍがホームページの貸出申込フォーマット表示ボタン７３をクリックすると、貸出申込フォーマットが申込者側コンピュータＭＣのモニタ画面ＭＭに表示される。
【００５７】
手順４：申込者Ｍにより情報入力欄１０１の各項目への入力がなされる。
【００５８】
手順５：申込者Ｍにより貸出確認ボタン１０２のクリック（図１１では「ＹＥＳ」ボタンのクリック）がなされると、それに応答して貸出申込処理部２は、当該申込者Ｍに対する顧客コードおよびその顧客コードに関連づけられた顧客ファイルを生成する。
【００５９】
手順６：貸出申込用プログラムの処理により、情報入力欄１０１の各項目に記載されたデータが申込者側コンピュータＭＣからシステムＵに送信される。
【００６０】
手順７：システムＵに受信された情報入力欄１０１の各項目に記載されたデータは、貸出申込処理部２に送給され、貸出申込処理部２により所定のフォーマットで所定の顧客ファイルに格納される。
【００６１】
手順８：貸出申込処理部２は、当該顧客ファイルを貸出申込者情報データベース６に格納する。
【００６２】
手順９：申込者Ｍにより見積指示ボタン１０３のクリック（図１１では「ＹＥＳ」ボタンのクリック）がなされると、それに応答して貸出申込処理部２は、貸出申込処理データベース５のデータおよび情報入力欄１０１の各項目に記入されたデータを用いて見積金額を算出し、その算出した見積金額を申込者側コンピュータＭＣに送信する。
【００６３】
手順１０：申込者側コンピュータＭＣにより受信された見積金額は、貸出申込処理プログラムの処理により見積表示欄１０４に表示される。
【００６４】
手順１１：申込者Ｍにより契約意思確認ボタン１０５のクリック（図１１では「ＹＥＳ」ボタンのクリック）がなされると、それに応答して貸出申込処理部２は、貸出申込処理データベース５に格納されている契約書を申込者側コンピュータＭＣに送信する。
【００６５】
手順１２：申込者側コンピュータＭＣにより受信された契約書は、貸出申込処理プログラムの処理により申込者側コンピュータＭＣのモニタ画面ＭＭに表示される。
【００６６】
手順１３：申込者Ｍが表示された契約書に同意する旨の意思表示を行ったとき、例えば契約書に設けられている同意ボタンをクリックしたとき、それに応答して貸出申込処理部２は、貸出情報データベース７を更新する。例えば、図１２における貸出情報１１０を更新する。
【００６７】
しかして、申込者Ｍにより指定された銀行口座に送金がなされ、その送金がシステムＵの管理者により確認されると、ユニット観覧席ＵＫを指定された時期および場所に設置するように詳細は図示しないユニット観覧席ＵＫの設置工事部門に契約内容に基づく指示が行われて、ユニット観覧席ＵＫの施設への設置および使用後における撤去がなされる。
【００６８】
このように、本システムＵによれば、ウェブサーバ１によりインターネットＵＩを介して公開されるウェブページ７０により不特定多数の閲覧者に対してユニット観覧席ＵＫの存在を広く知らしめてその有用性をアピールすることができる一方、臨時に特定施設への観客席や観覧席の設置を必要とする閲覧者は、「Ｇｏｏｇｌｅ（登録商標）」などのサーチエンジンの利用によりユニット観覧席ＵＫを知ることができる。
【００６９】
したがって、各種イベントの主催者は、イベントの開催が急遽決定されたような場合にも、砂浜、学校付属の運動場などに観客席や観覧席を所望規模で設置することができる。また、設置された観客席や観覧席は、イベントの終了後に即時に撤去されるので、その維持費が不要であるばかりでなく、イベントの終了後に施設は従前どおりの使用がなし得、観客席や観覧席を設けたことによる施設への制約は生じない。
【産業上の利用可能性】
【００７０】
本発明は、臨時に観覧席や観客席を必要とする場合に適用できる。
【図面の簡単な説明】
【００７１】
【図１】本発明の一実施形態に係る観覧席貸出システムの概略構成を示すブロック図である。
【図２】ユニット観覧席の概要を示す斜視図である。
【図３】同ユニット観覧席の平面図である。
【図４】同ユニット観覧席の正面図である。
【図５】同ユニット観覧席の土台の詳細を示す平面図である。
【図６】ユニット観覧席の他例の側面図である。
【図７】図１のシステムのウェブサーバにより公開されるウェブページの一例を示す模式図である。
【図８】同ウェブページのデータ構成の一例を示す模式図である。
【図９】図１のシステムにより貸出可能なユニット観覧席の一覧を表示する一覧表示ページの一例を示す模式図である。
【図１０】ユニット観覧席の各機種の詳細を表示する詳細表示ページの一例を示す模式図である。
【図１１】図７のウェブページにおいて閲覧者が申込者情報等を入力する貸出申込フォーマットの一例を示す模式図である。
【図１２】貸出情報管理データベースのデータフォーマットの一例を示す模式図である。
【符号の説明】
【００７２】
Ｍ    申込者
ＭＣ    申込者側コンピュータ
Ｕ    観覧席貸出システム
ＵＫ    ユニット観覧席
ＵＩ    インターネット
１    ウェブサーバ
２    貸出申込処理部
３    入出力処理部
４    ウェブページコンテンツフォルダ
５    貸出申込処理データベース
６    貸出申込者データベース
７    貸出情報データベース
７０    ウェブページ
１００    貸出申込フォーマット
１１０    貸出情報
【図１】
2007004652.tif 000003
【図２】
2007004652.tif 000004
【図３】
2007004652.tif 000005
【図４】
2007004652.tif 000006
【図５】
2007004652.tif 000007
【図６】
2007004652.tif 000008
【図７】
2007004652.tif 000009
【図８】
2007004652.tif 000010
【図９】
2007004652.tif 000011
【図１０】
2007004652.tif 000012
【図１１】
2007004652.tif 000013
【図１２】
2007004652.tif 000014